(57)【要約】【課題】  特別な取付部材などを必要とすることなく、また外壁の重量が過重になることなく、外壁のリフォームを容易に行なうことが可能になる外装材を提供する。【解決手段】  基板１の外面に複数の化粧用突条２を設けると共に化粧用突条２の間に化粧用凹部３を設け、化粧用突部２と化粧用凹部３で表面の装飾を形成した外壁材Ａに関する。そして化粧凹部３に、化粧用突条２の突出高さよりも厚みの寸法が大きい化粧ピース材４を嵌め込んで取り付け可能にする。家屋の取得時には、化粧用凹部３が目地底となり化粧用突部２が凸模様となった外装材Ａで外壁を形成することができ、また年月を経た後に、化粧用凹部３に化粧ピース材４を嵌め込んで取り付けることによって、化粧用突部２の先端が目地溝となって配置された化粧ピース材４で装飾を施した外壁にリフォームすることができる。【選択図】  図１
2006009490.tif 000002
【特許請求の範囲】
【請求項１】
基板の外面に複数の化粧用突条を設けると共に化粧用突条の間に化粧用凹部を設け、化粧用突条と化粧用凹部で表面の装飾を形成した外壁材であって、化粧用凹部に、化粧用突条の突出高さよりも厚みの寸法が大きい化粧ピース材を嵌め込んで取り付け可能にして成ることを特徴とする外装材。
【請求項２】
化粧用突条の先端面にシボ模様を形成して成ることを特徴とする請求項１に記載の外装材。
【請求項３】
隣り合って配置される外装材の間に亘って、化粧用凹部に化粧ピース材を嵌め込んで取り付け可能にして成ることを特徴とする請求項１又は２に記載の外装材。
【発明の詳細な説明】
【技術分野】
【０００１】
本発明は、家屋の外壁のリフォームに容易に対応することができる外装材に関するものである。
【背景技術】
【０００２】
家屋には長年居住することになるが、家屋に対する居住者の嗜好は、家屋の取得したときと、それから例えば２０年や３０年経過したときとでは大きく異なることが多い。このために、家屋を取得してから２０年や３０年程度でリフォームすることが行なわれている。特に家屋の外壁は、家屋全体のイメージを大きく支配するので、外壁をリフォームすることによって、家屋の外観を新しいものとすることができ、居住者の嗜好の変化を満足させることができるものである。
【０００３】
そして家屋の外壁をリフォームするにあたって、外壁を構成する外壁材に塗装を行なうことが最も簡便な方法である。しかし、塗装では家屋の外観のイメージを大きく変えることは難しく、費用の割にむしろイメージが低下してしまう傾向がある。
【０００４】
このため、リフォームによって家屋の外観のイメージを大きく変えるには、外壁に張った既存の外装材を除去して、新たな外装材に取り替えることによって、新たな外装材による外壁にリフォームすることが望ましいが、この場合には、外装材を除去することに手間と日数が必要であり、リフォームの工事が大掛かりになるという問題がある。
【０００５】
そこで、既存の外装材を残したまま、既存の外装材の上に新たな外装材を取り付けることが行なわれている。このように既存の外装材の上に新たな外装材を取り付ける施工は、例えば、既存の外装材の表面にスペーサーを取り付け、このスペーサーの上に新たな外装材を配置すると共に、スペーサーを通して新たな外装材から既存の外装材に釘打ち等することによって行なわれている（例えば、特許文献１等参照）。
【特許文献１】特開２０００−３８８２８号公報
【発明の開示】
【発明が解決しようとする課題】
【０００６】
上記のように既存の外装材の上に新たな外装材を取り付けることによって、既存の外装材を除去する必要なく、新たな外装材による外壁にリフォームすることができるものである。しかしこの方法においても、新たな外装材を取り付けるためにスペーサー等の特別な取付部材が必要になり、しかも、外壁は既存の外装材と新しい外装材の二重になるので、外壁の重量が過重になるおそれがあるという問題を有するものであった。
【０００７】
本発明は上記の点に鑑みてなされたものであり、特別な取付部材などを必要とすることなく、また外壁の重量が過重になることなく、外壁のリフォームを容易に行なうことが可能になる外装材を提供することを目的とするものである。
【課題を解決するための手段】
【０００８】
本発明の請求項１に係る外装材は、基板１の外面に複数の化粧用突条２を設けると共に化粧用突条２の間に化粧用凹部３を設け、化粧用突条２と化粧用凹部３で表面の装飾を形成した外壁材Ａであって、化粧用凹部３に、化粧用突条２の突出高さよりも厚みの寸法が大きい化粧ピース材４を嵌め込んで取り付け可能にして成ることを特徴とするものである。
【０００９】
この発明によれば、家屋の取得時には、化粧用凹部３が目地底となり化粧用突部２が凸模様となった外装材Ａで装飾を施した外壁を形成することができ、また年月を経た後に、化粧用凹部３に化粧ピース材４を嵌め込んで取り付けることによって、化粧用突部２の先端を目地溝として配置された化粧ピース材４で装飾を施した外壁にリフォームすることができるものであり、外装材Ａをそのまま利用して外壁を全く異なるイメージにリフォームすることができるものである。従って、既存の外壁材の上に新たな外壁材を取り付ける場合のように、特別な取付部材などを用いる必要なく、また外壁の重量が過重になることなく、外壁のリフォームを容易に行なうことが可能になるものである。
【００１０】
また請求項２の発明は、請求項１において、化粧用突条２の先端面にシボ模様を形成して成ることを特徴とするものである。
【００１１】
この発明によれば、シボ模様を有する化粧用突条２で外壁材Ａの装飾を行なうことができると共に、化粧用突部２に化粧ピース材４を取り付けたリフォーム状態では、シボ模様の化粧用突条２の先端面を自然な感じの目地底にすることができるものである。
【００１２】
また請求項３の発明は、請求項１又は２において、隣り合って配置される外装材Ａの間に亘って、化粧用凹部３に化粧ピース材４を嵌め込んで取り付け可能にして成ることを特徴とする
この発明によれば、隣り合って配置される外装材Ａの隙間を化粧ピース材４で覆うことができ、リフォーム状態で隣り合う外装材Ａの一体感を高めることができるものである。
【発明の効果】
【００１３】
本発明によれば、家屋の取得時には、化粧用凹部３が目地底となり化粧用突部２が凸模様となった外装材Ａで装飾を施した外壁を形成することができ、また年月を経た後に、化粧用凹部３に化粧ピース材４を嵌め込んで取り付けることによって、化粧用突部２の先端を目地溝として配置された化粧ピース材４で装飾を施した外壁にリフォームすることができるものであり、外装材Ａをそのまま利用して外壁を全く異なるイメージにリフォームすることができるものである。従って、既存の外壁材の上に新たな外壁材を取り付ける場合のように、特別な取付部材などを用いる必要なく、また外壁の重量が過重になることなく、外壁のリフォームを容易に行なうことが可能になるものである。
【発明を実施するための最良の形態】
【００１４】
以下、本発明を実施するための最良の形態を説明する。
【００１５】
図１（ａ）は本発明に係る外装材Ａの一例を示すものであり、繊維セメント板など無機質板で横に長い矩形に形成してある。外装板Ａは基板１の表面（屋外面）に複数本の化粧用突条２を設けると共に隣り合う化粧用突条２の間に化粧用凹部３を設けて形成されるものである。図の実施の形態では、化粧用突条２は細い直線状の突起で基板１の長手方向の全長に亘るように形成してあり、同じ高さで且つ平行に上下複数本設けてある。この上下に隣り合う化粧用突条２の間の凹所が化粧用凹部３となるものであり、各化粧用凹部３は化粧用突条２の幅よりも広い溝幅で平行に形成されるものである。また化粧用突条２の先端面には微細な凹凸のシボ模様が形成してある。基板１の上端面の背部側には係合突部１０が突設してあり、下端面の背部側には係合凹部１１が凹設してある。
【００１６】
上記のように形成される外装板Ａは家屋の柱や間柱などで構成される下地構造材の屋外側に取り付けて使用されるものであり、上下及び左右に複数枚並べて配置することによって、外壁を形成するものである。上下に配置される外装板Ａは図２（ａ）に示すように、下側の外装材Ａの係合突部１０に上側の外装材Ａの係合凹部１１を係合させることによって、上下に接続されるものであり、また左右に配置される外装材Ａは防水用目地材等を介して付き合わせることによって、左右に接続されるものである。
【００１７】
このように形成される外壁にあって、外装材Ａは細い直線状の複数本の化粧用突条２と、幅広いフラットな底面の化粧用凹部３によって装飾が施されており、しかも化粧用突条２の先端面にはシボ模様が形成してあるので、横流れのモダンな柄の外壁に仕上げることができる。従って、家屋の購入取得者として最も多い３０歳代の年代層に好まれるモダンな外観に家屋の外壁を形成することができるものである。
【００１８】
次に、家屋を購入取得してから、例えば３０年を経過して居住者が６０歳代になり、モダンな外観よりも落ち着いた外観に嗜好が変化することが多いが、本発明に係る外装材Ａは、このような嗜好の変化に応じて、容易に外壁のリフォームに対応することができる。このようなリフォームに際しては、化粧ピース材４を用いる。化粧ピース材４は幅寸法が化粧用突条２の間隔、つまり化粧用凹部３の幅寸法とほぼ等しく、厚み寸法が化粧用突条２の高さ寸法より大きい、断面矩形に形成されるものである。化粧ピース材４は石材やタイル材などで形成することができるものであり、外装材４の長さに相応した長さのものであっても、レンガ状の長さのものであってもよい。
【００１９】
そしてこの化粧ピース材４を図１（ｂ）や図２（ｂ）に示すように、外装材Ａの各化粧用凹部３に嵌め込んで、接着剤による接着や釘うち等で固定することによって、外壁のリフォームを行なうことができるものである。このように外装材Ａの各化粧用凹部３に化粧ピース材４を取り付けると、化粧用突条２の高さ寸法は化粧ピース材４の厚み寸法より小さいので、化粧用突条２の先端面のシボ模様で上下に隣り合う化粧ピース材４間の目地溝の底面を形成することになる。従って外装材Ａの外観を、化粧ピース材４からなる石材やタイルなどを目地溝を介して全面に貼った柄に変化させることができるものであり、６０歳代の年代層に好まれる落ち着いた洋風の外観に家屋の外壁をリフォームすることができるものである。
【００２０】
また外装材Ａの化粧用凹部３に化粧ピース材４を取り付けるにあたって、左右に突き合わせて配置されている外装材Ａ，Ａの間に跨って化粧ピース材４を取り付けるようにすれば、図３に示すように、左右に隣り合う外装材Ａ，Ａ間の隙間を化粧ピース材４で覆って隠すことができるものであり、左右に隣り合う外装材Ａ，Ａの一体感を高めることができるものである。
【００２１】
上記のように、家屋の下地構造材に取り付けられている既存の外装材Ａを除去する必要なく、この既存の外装材Ａをそのまま利用して、化粧ピース材４を取り付けるという施工で外壁のリフォームを行なうことができるものであり、特別な取付部材などを必要とすることなく、簡単な施工で外壁のリフォームを容易に行なうことが可能になるものである。しかも既存の外装材Ａに取り付ける化粧ピース材４は、外装材Ａに比較すると遥かに軽量であるので、既存の外装材の上に新たな外装材を取り付ける場合のように、外壁の重量が過重になるようなこともなくなるものである。
【図面の簡単な説明】
【００２２】
【図１】本発明の実施の形態の一例を示すものであり、（ａ）は一部の斜視図、（ｂ）は化粧ピース材の取付状態の一部の斜視図である。
【図２】本発明の実施の形態の一例を示すものであり、（ａ）は一部の側面図、（ｂ）は化粧ピース材の取付状態の一部の側面図である。
【図３】本発明の実施の形態の一例を示す、化粧ピース材の取付状態の一部の正面図である。
【符号の説明】
【００２３】
１  基板
２  化粧用突条
３  化粧用凹部
４  化粧ピース材
【図１】
2006009490.tif 000003
【図２】
2006009490.tif 000004
【図３】
2006009490.tif 000005